(57)【要約】【課題】清掃体に付着した塵や埃を効率良く取り除き、装置の小型軽量化を可能とする清掃機を提供する。【解決手段】大ローラー１１と小ローラー１６とが、カバー３０の側板３５に回転可能に支持され、清掃ベルト１が、大ローラー１１と小ローラ１６とに緊張状態で掛け渡たされ、多数の径小な孔が設けられたメッシュローラ２が、清掃ベルト１を挟んで小ローラー１６に押圧され、大ローラー１６は、カバー３０に対して一方向に回転する清掃機。【選択図】図４
2019037453.tif 000002
【特許請求の範囲】
【請求項１】
一対のローラーがカバーに回転可能に支持され、前記一対のローラーには、弾性体で環状の清掃ベルトが、前記一対のローラーを跨いで緊張状態で巻かれ、多孔薄板ローラーが前記カバーに回転可能に支持され、前記多孔薄板ローラーは、前記清掃ベルトを挟んで前記一対のローラーの一方のローラーを押圧して設置され、前記一対のローラーの少なくとも一方のローラーは、前記カバーに対して一方向に回転可能であることを特徴とする清掃機。
【請求項２】
前記カバーに容器が固定され、前記容器には液体が溜められ、前記多孔薄板ローラーは、前記容器の内部に配置され、かつ、前記液体に漬かるように配置された事を特徴とする、請求項１に記載の清掃機。
【請求項３】
前記カバーに補助輪が設けられた事を特徴とする、請求項１又２に記載の清掃機。
【発明の詳細な説明】
【技術分野】
【０００１】
本発明は、ローラーを覆った清掃ベルトによって、清掃対象面上の塵や埃等を拭き取る清掃機に関する。
【背景技術】
【０００２】
清掃対象面の塵や埃を拭き取る清掃機は、円筒状の清掃体を清掃対象面に押圧して清掃対象面の塵や埃を拭き取る構成の清掃機が多く、清掃体を液体で湿らせる事によって、清掃対象面の塵や埃を清掃体に移着され易くする事で、効率よく清掃対象面の塵や埃を拭き取ろうとする装置である。この清掃体を湿らせる手段として、清掃体の内側に設置されたノズルから清掃体に向けて液体が噴射される構成が考えられている。
【０００３】
特許文献１に記載されている清掃機は、円筒状のスポンジ体で成る清掃体に、清掃体の内側に設置されたノズルから液体が噴射される事で、清掃体を湿らせている。この湿りの元である液体は、清掃体に移着した塵埃と共に、吸引パイプで吸引されるように構成されている。
【０００４】
特許文献２に記載されている清掃機は、円筒状の清掃体の内側に設置されたノズルを清掃体に近づけ、またノズルを複数設ける事で、清掃体を均一に湿らせようとる構成である。
【先行技術文献】
【特許文献】
【０００５】
【特許文献１】実開昭５５−７８０６０号公報
【特許文献２】特開２０１４−２３３５２４号公報
【発明の概要】
【発明が解決しようとする課題】
【０００６】
円筒状の清掃体を液体で湿らせると、清掃体を清掃対象面に押圧して拭き取る際、清掃対象面の塵や埃が清掃体に移着しやすくなるため、効率よく清掃対象面の塵や埃を拭き取る事が出来る一方、清掃体の湿りの元である、清掃体に付着した液体を取り除く事が困難で、逆に清掃対象面を湿らせてしまう、という欠点があった。
【０００７】
清掃対象面が、湿った状態であると、拭き取った後の清掃対象面に、再び塵や埃が付着し易くなり、清掃効率が低下すると共に、清掃対象面にカビが発生し易くなり、清掃対象面が不潔になる、という欠点があった。
【０００８】
また、この清掃体に付着した塵や埃は、清掃体に隣接された吸引パイプから吸引されるが、この吸引力は、電動モータを駆動源とする等、外部からの駆動源が必要で、清掃機は、装置全体として大型化し、装置の製造コストも増加する、という欠点があった。
【０００９】
さらに、清掃体に付着した液体を、より効率よく吸引するためには、吸引パイプの吸引力を大きくする必要があり、それに伴い、その駆動源もさらに大型化される、という欠点があった。
【００１０】
そこで、本発明は、清掃面に付着した塵や埃を効率良く取り除き、装置の小型軽量化を可能とする清掃機を提供する事を目的とする。
【課題を解決するための手段】
【００１１】
本発明は、上記課題を解決するため、（１）〜（３）に記載する清掃機を提供する。
【００１２】
（１）一対のローラーがカバーに回転可能に支持され、前記一対のローラーには、弾性体で環状の清掃ベルトが、前記一対のローラーを跨いで緊張状態で巻かれ、多孔薄板ローラーが前記カバーに回転可能に支持され、前記多孔薄板ローラーは、前記清掃ベルトを挟んで前記一対のローラーの一方のローラーを押圧して設置され、前記一対のローラーの少なくとも一方のローラーは、前記カバーに対して一方向に回転可能であることを特徴とする清掃機。
【００１３】
（２）前記カバーに容器が固定され、前記容器には液体が溜められ、前記多孔薄板ローラーは、前記容器の内部に配置され、かつ、前記液体に漬かるように配置された事を特徴とする（１）に記載の清掃機。
【００１４】
（３）前記カバーに補助輪が設けられた事を特徴とする、（１）又は（２）に記載の清掃機。
【発明の効果】
【００１５】
本発明の清掃機によれば、清掃ベルト（清掃体）に移着した塵や埃を効率良く取り除く事が出来る。また、本発明の清掃機によれば、吸引装置等、特別な駆動装置を用いる事なく、清掃ベルトに移着した塵や埃を取り除く事が出来る。
【００１６】
また、本発明の清掃機によれば、清掃ベルトが常に良好な状態を保つ事が出来るため、清掃ベルトを清掃対象面に押圧して、清掃対象面に付いた塵や埃を効率良く拭き取る事が出来る。
【００１７】
これらの理由により、本発明の清掃機によれば、高性能な拭き取り能力を有し、軽量小型で低コストで操作性の良好な清掃機を提供する事が可能である。
【００１８】
また、前記（２）に記載される本発明の清掃機によれば、メッシュローラー（多孔薄板ローラー）は、容器内に溜められた液体に浸っているため、清掃ベルトに移着した塵や埃をさらに効率良く取り除く事が出来る。また、清掃ベルトも容器内の液体に漬かって湿るため、さらに効率良く清掃対象面の塵や埃を拭き取る事が出来る。また、清掃ベルトの緊張力を調節する事によって、清掃ベルトの湿り具合をも調整出来るため、清掃対象面の状況に応じて、または、清掃目的に応じて、清掃ベルトの湿り具合を最適になるように設定する事が出来る。
【図面の簡単な説明】
【００１９】
【図１】本発明に係る清掃機を示す斜視図。
【図２】本発明に係る清掃機を示す上面図。
【図３】本発明に係る清掃機を示す側面図。
【図４】図２のＡ−Ａ線断面図。
【図５】図２のＢ−Ｂ線断面図。
【発明を実施するための形態】
【００２０】
本発明の実施の形態に係る清掃機の概略について、図１乃至図５を参照して説明する。
【００２１】
本発明の実施の形態に係る清掃機は、ローラー１０、ワンウェイクラッチ２０、カバー３０、補助輪４０、容器５０、清掃ベルト１、メッシュローラー２、とで、その主要構成がなされている。はじめに、これら主要構成の形状と位置関係を概略説明し、各構成要素の詳細は後述する。
【００２２】
ローラー１０は、一対（２個）の円筒状のローラーを主な構成要素として構成されている。カバー３０は、薄板状の略逆容器状に形成されている。ローラー１０は、カバー３０に回転可能に支持されている。清掃ベルト１は、弾性体で環状に形成され、一対のローラー１０を跨いで覆って巻かれている。補助輪４０は、カバー３０に設置されている。容器５０は、カバー３０に固定されて設置されている。メッシュローラー２は、表面に多数の穴が設けられた薄板の円筒状に形成され、清掃ベルト１を挟んでローラー１０を押圧して設置されている。
【００２３】
ここで、「上」とは、清掃対象面６０に対して鉛直方向に、清掃対象面から離れる向きをいい、「下」とは、同様に、清掃対象面に近づく向きをいう。
【００２４】
また、ローラー１０は、径大に形成された円筒状の大ローラー１１と径小に形成された円筒状の小ローラー１６とを主な構成要素として構成され、大ローラー１１と小ローラー１６とは、それぞれの回転軸が平行に配置されているが、ここで、「前」とは、本発明の清掃機の移動方向に、大ローラー１１が配置される向きをいい、「後」とは、同様に、小ローラー１６が配置されている向きをいう。
【００２５】
また、「鉛直方向」とは、清掃対象面６０に対して鉛直な方向をいい、「水平方向」とは、清掃対象面６０に対して平行な方向をいう。
【００２６】
カバー３０は、略逆容器状に形成されており、カバー３０の上面は水平方向に板状の前天板３１と後天板３２とで構成され、後天板３２の後方端部から下方向に延出して板状の後板３４が設けられ、後板から後方に水平方向に延出して板状のフランジ３７が設けられ、前天板３１から後天板３２に至る両端から下方向に延出して板状の一対の側板３５が設けられている。前天板３１と後天板３２とは前後に隣接して配置され、前天板３１は、後天板３２の前方に、高さを低くして、配置されている。
【００２７】
ローラー１０は、径大に形成された円筒状の大ローラー１１と径小に形成された円筒状の小ローラー１６とを主な構成要素として構成され、大ローラー１１と小ローラー１６とは、それぞれの回転軸が平行にして配置されている。
【００２８】
大ローラー１１の内径面には、大ローラー１１の内径に対応する外径を有する薄板円筒状の保持筒１２が嵌め込まれており、保持筒１２の内径面には、保持筒１２の内径と同一の外径を有する円盤状に形成された一対のフランジ１３が固定されている。フランジ１３の中心部には穴が開いており、フランジ１３の穴には、細長円柱状の大ローラー軸１４が、一対のフランジ１３の一対の穴を貫通して配置されている。
【００２９】
一対のフランジ１３は、一対のフランジ１３の側面の外側面の間隔が、保持筒１２の長さよりも短いように配置されている。すなわち、保持筒１２の両端には、保持筒１２の内径面と、一対のフランジ１３の側面の外側面とでなる空間が形成されている。
【００３０】
この、保持筒１２の内径面と、一対のフランジ１３の側面の外側面とでなる空間にはワンウェイクラッチ２０が設けられている。ワンウェイクラッチ２０は、クラッチ２１、外輪２２、内輪２３、とで構成され、外輪２２と内輪２３とは、それぞれフランジ付きの薄板状の円筒状に形成され、それぞれの中心軸が同軸に配置されている。クラッチ２１は、外輪２２と内輪２３とを相対的に一方向のみ回転可能とする機能を有している。すなわち、クラッチ２０は、外輪２２が内輪２３に対して、一方向にのみ回転可能に構成されている。
【００３１】
ワンウェイクラッチ２０の、外輪２２のフランジ面は、カバー３０の側板３５の内側面に固定され、内輪２３のフランジ面は、フランジ１３の側面の外側面に固定されている。すなわち、大ローラー１１は、保持筒１２、フランジ１３、ワンウェイクラッチ２０を介して、カバー３０の側板３５に、一方向に回転可能に支持されている。
【００３２】
大ローラー軸１４は、大ローラー１１よりも長い長さを有し、一対のフランジ１３、ワンウェイクラッチ２０、一対の側板３５を貫通して配置され、大ローラー軸１４の一端にはフランジが設けられ、他端にはナットが固定される事で、一対の側板３５に対して、大ローラー軸１４が抜け止めされ、かつ、大ローラー軸１４は、側板３５に対して回転可能に支持されている。
【００３３】
大ローラー１１の後方に、円筒状の小ローラー１６が設けられ、小ローラー１６の中心部には、小ローラー１６の内径に対応した外径を有する細長円柱状の小ローラー軸１７が貫通されており、小ローラー軸１７は、さらに、カバー３０の一対の側板３５を貫通し、一対の側板３５に対して抜け止めされて配置されている。すなわち、小ローラー１６は、小ローラー軸１７を介して、カバー３０の側板３５に、回転可能に支持されている。
【００３４】
ここで、大ローラー１１と小ローラー１６とは、一対の側板３５の内部に配置され、大ローラー１１と小ローラー１６の長さは、一対の側板３５の内側面の距離よりも僅かに短く形成されている。すなわち、大ローラー１１と小ローラー１６とは、ほぼ同一の長さを有し、それぞれの回転軸線は平行に配置され、それそれの軸方向の移動は、一対の側板３５によって制限されるように構成されている。
【００３５】
また、カバー３０の前天板３１の前側端面には開口部３３が形成されている。前天板３１は、後天板３２よりも高さが低く配置されており、前天板３１と大ローラ１１に円弧状に巻き付いている清掃ベルト１１との隙間は小さく設定されている。すなわち、開口部３３の開口面積は小さく設定されており、開口部３３から、清掃対象面６０から飛び散った塵や埃の侵入を抑制している。
【００３６】
清掃ベルト１は、弾性素材で環状に形成されており、大ローラー１１と小ローラ１６とに緊張状態で掛け渡たされている。ここで、清掃ベルト１は、清掃対象面６０を拭き取る目的の清掃体として存在している。
【００３７】
円筒状に形成されたテンショナー５の中心部には、テンショナー５の内径に対応した外径を有する細長円柱状のテンショナー軸６が貫通されており、テンショナー軸６は、さらに、カバー３０の一対の側板３５を貫通し、一対の側板３５に対して抜け止めされている。すなわち、テンショナー５は、テンショナー軸６を介して、カバー３０の側板３５に、回転可能に支持されている。
【００３８】
テンショナー５は、大ローラー１１と小ローラ１６の中間域、かつ、清掃ベルト１の外側域で清掃ベルト１よりも下側に配置されている。テンショナー軸６は、側板３５に対して上下移動可能に支持されており、バネ（図示せず）による付勢力を受け、テンショナー５を、清掃ベルト１の環状の下側の外側面を下から上向きに押圧させている。すなわち、清掃ベルト１は、テンショナー軸６が受ける付勢力によって、一定の緊張力が保たれている。
【００３９】
メッシュローラー２は、薄板の円筒状に形成され、この円筒状の表面には、多数の径小な孔が設けられている。ここで、メッシュローラー２は、清掃ベルト１に吸着された塵や埃を取り除く目的の多孔薄板ローラーとして存在している。メッシュローラー２の両側の側面には、メッシュローラー２の外径と同一の外径を有する薄板円盤状の一対のフランジ（図示せず）が設けられ、前記一対のフランジの中心部には、細長円柱状のメッシュローラー軸３が貫通され、メッシュローラー軸３は、さらに、カバー３０の一対の側板３５を貫通し、一対の側板３５に対して抜け止めされている。すなわち、メッシュローラー２は、前記一対のフランジ、メッシュローラー軸３を介して、カバー３０の側板３５に、回転可能に支持されている。また、メッシュローラ２の前記フランジにも、複数の孔が設けられている。
【００４０】
メッシュローラー２は、小ローラー１６の下側に配置されている。また、小ローラー１６とメッシュローラー２とは、ほぼ同一の長さを有し、それぞれの回転軸線は平行に配置され、それそれの軸方向の移動は、一対の側板３５の内側面によって制限されるように構成されている。
【００４１】
また、メッシュローラー軸３は、側板３５に対して上下移動可能に支持されており、バネ（図示せず）による付勢力を受け、メッシュローラー２を、清掃ベルト１を挟んで、小ローラー１６に向けて押圧している。
【００４２】
カバー３０の後天板３２の上面には、円筒状のハンドル４４が設けられ、ハンドル４４の外周を覆うように、円筒状のグリップ４５が設けられている。グリップ４５は、グリップ４５を人の手で掴んだ時に、手が滑り難いように、弾性体でなり、また、表面には微小な凹凸が形成されている。
【００４３】
グリップ４５は、グリップ４５を人の手で掴んで、人の手からの力によって本発明の清掃機を移動させて清掃対象面６０を拭き取る目的で設けられ、清掃対象面６０を拭き取る際には、大ローラー１１を、清掃ベルト１を挟んで清掃対象面６０に押圧させながら、本発明の清掃機を、大ローラー１１が回転されるべき方向に往復運動させながら移動させる。
【００４４】
ここで、本発明の清掃機が清掃対象面６０を拭き取る際に往復運動される方向は、清掃対象面に並行で、大ローラー１１の回転軸方向に対して垂直な方向となり、図４に於いて、矢印Ｄが示すように、本発明の清掃機が前方に移動し、その反対に、後方に移動し、往復運動される。
【００４５】
大ローラー１１は、ワンウェイクラッチ２０によって一方向のみに回転可能であるが、本発明の清掃機が清掃対象面６０を拭き取る際、後方（矢印Ｄと反対の方向）に移動する時に回転可能であり、同様に、前方（矢印Ｄの方向）に移動する時に回転不能になるように構成されている。換言すれば、大ローラー１１は、ワンウェイクラッチ２０によって、図３と図４に於いて、右回り（矢印Ｃの方向）にのみ回転可能に構成されている。
【００４６】
大ローラー１１を、清掃ベルト１を挟んで清掃対象面６０に押圧させながら、本発明の清掃機を前方（矢印Ｄの方向）に移動させると、大ローラー１１は回転不能であり、清掃ベルト１は、大ローラー１１と連動して不動のまま、清掃対象面６０に対しては滑りながら清掃対象面６０を拭き取り、清掃対象面に付着した塵や埃を、清掃ベルト１の表面に移着させる。
【００４７】
その逆に、大ローラー１１を、清掃ベルト１を挟んで清掃対象面６０に押圧させながら、本発明の清掃機を後方（矢印Ｄと反対の方向）に移動させると、大ローラー１１は回転し、清掃ベルト１は、大ローラー１１の回転に連動して移動し、メッシュローラー２も、清掃ベルト１の移動に連動して回転する。この時、清掃ベルト１は、清掃対象面６０に対しては滑りが無い。
【００４８】
より具体的には、本発明の清掃機を後方（矢印Ｄと反対の方向）に移動させると、清掃対象面６０に当接されている清掃ベルト１は、大ローラー１１に巻き付いているため、大ローラー１１の外径と同一の直径の円弧形状となり、清掃対象面６０に対して転がるように動作される。
【００４９】
前記のように、本発明の清掃機を後方（矢印Ｄと反対の方向）に移動させる時、清掃対象面６０から清掃ベルト１の表面に移着した塵や埃の内、メッシュローラー２に押圧されている領域に移着している塵や埃は、メッシュローラー２の表面に設けられている多数の孔に入り込み、前記多数の孔の角で清掃ベルト１の表面から剥がされて、メッシュローラー２の内部にあるメッシュローラー内部空間４に移送される。
【００５０】
より具体的には、清掃ベルト１は弾性素材で製造されているため、表面に多数の孔が形成された薄板の円筒状のメッシュローラー２で押圧されると、メッシュローラー２で押圧された領域の清掃ベルト１は、その弾性の範囲で変形し、メッシュローラー２の前記多数の孔に入り込み、同時に、前記多数の孔の角部に高い圧力が発生する。この状態で、メッシュローラー２が回転されると、メッシュローラー２は、メッシュローラー２で押圧されている清掃ベルト１の領域面に対して、角度を変えながら回転する動作となり、前記多数の孔の角部は、清掃ベルト１に対して角度を変えながら、清掃ベルト１をこじる動作となり、清掃ベルト１に移着した塵や埃を効率良く取り除くように作用する。
【００５１】
このように、大ローラー１１を、清掃ベルト１を挟んで清掃対象面６０に押圧させながら、本発明の清掃機を、前後に往復運動（前方向＝往運動、後方向＝復運動）させると、往運動の時には、大ローラー１１が回転しないため、清掃ベルト１は、回転相当の動作をせずに、清掃対象面６０上を滑りながら、清掃対象面６０に付着した塵や埃を清掃ベルト１に移着させ、復運動の時には、大ローラー１１が回転し、清掃ベルト１は、清掃対象面６０に対して転がり相当の動作をし、清掃ベルト１に移着された塵や埃が、メッシュローラー２によって取り除かれる。
【００５２】
ここで、清掃ベルト１は、所定の摩擦係数を有する弾性体であり、前記のように本発明の清掃機を往復運動させた時、大ローラー１１、及び、小ローラー１６に対しては滑りを生じない。また、大ローラー１１、及び、小ローラー１６の外周面も、所定の摩擦係数を有し、清掃ベルト１との滑りを、さらに抑制するように構成されている。
【００５３】
また、ここで、清掃ベルト１は、所定の弾性を有する弾性体であり、清掃ベルト１が大ローラー１と清掃対象面６０とに挟まれて押圧された時、及び、清掃ベルト１が、小ローラー１６とメッシュローラー２とに挟まれて押圧された時、清掃ベルト１の、それぞれの押圧された領域は、清掃ベルト１の厚さが、それそぞれの押圧する部材の面形状に沿って変形し、所定の接触面積を伴うように構成されている。
【００５４】
次に、容器５０について詳細に説明する。容器５０は、略薄板容器状で、下側に水平方向に薄板状の容器底板５０ａが形成され、容器底板５０ａから鉛直方向の上向きに薄板状の容器側板５０ｂが囲われて形成され、容器側板５０ｂの容器端面５０ｃの一部が周囲の上端面５０ｃよりも低く形成された開口端面５０ｄを有している。容器５０の内部には、開口端面５０ｄの高さを限度に、液体５１を漏れないように溜められる。
【００５５】
容器５０の幅は、カバー３０の一対の側板１４の外側間隔よりも長く形成され、メッシュローラー２、メッシュローラー軸３、テンショナー５、テンショナー軸６、小ローラー１６、小ローラー軸１７、を内部に含むように配置されている。すなわち、容器５０の内部に溜められた液体５１に、少なくともメッシュローラー２が完全に浸り、少なくとも、清掃ベルト１のメッシュローラー２と小ローラー１６とで押圧されて挟まれている領域が、液体５１に浸っている。尚、容器５０は、メッシュローラー軸３、テンショナー軸６、小ローラー軸１７を、容器５０の幅方向の内側面に当設される事で、抜け止めされる機能も有している。
【００５６】
容器５０は、容器側板５０ｂの上側に穴が設けられ、この穴にボルト４６が貫通し、ボルト４６のネジ部が、カバー３０の側板３５に設けられたネジ穴３６に勘合することで、カバー３０に固定される。また、容器５０は、ボルト４６のネジ部を、ネジ穴３６との勘合を外す事で、カバー３０から取り外し可能である。すなわち、容器５０をカバー３０から取り外す事で、容器５０の内部に溜めてある液体５１を交換可能である。液体５１を交換する事で、清掃ベルト１から取り除かれて液体５１に移送されている塵や埃が捨てられる。
【００５７】
次に、補助輪４０について詳細に説明する。補助輪４０は、車輪４１、車輪軸４２、車輪軸受４３、とで構成されている。車輪４１は、円筒状に形成され、車輪軸４２は、細長円柱状に形成され、車輪４１の中心部に設けられてた穴に貫通し、車輪軸受４３は、略薄板コの字状に形成され、車輪軸４２を支持する。すなわち、車輪４１は、車輪軸４２を介して、車輪軸受４３に対して回転可能に支持されている。
【００５８】
補助輪４０は、カバー３０のフランジ３７の下側に固定され、本発明の清掃機が清掃対象面６０を拭き取る際、大ローラー１１が清掃ベルト１を挟んで清掃対象面６０に押圧されると同時に、車輪４１も清掃対象面６０に押圧されながら転がる。
【００５９】
車輪４１が清掃対象面６０から受ける押圧は、フランジ５７に伝達し、フランジ５７が変形する恐れがあるため、フランジ５１の変形を抑制する目的で、薄板状のリブ５８が、フランジ５７の上面と後板３４の後面との間を繋いで配置されている。
【００６０】
尚、上記で説明した塵や埃は、清掃対象面６０に、その周辺から降り落ちた微細粒子の塵や埃である。
【００６１】
以上説明した本実施例の形態によれば、以下の効果が得られる。
【００６２】
本発明の清掃機によれば、メッシュローラー２（多孔薄板ローラー）によって、清掃ベルト１（清掃体）に付着した塵や埃を効率良く取り除く事が出来る。また、本発明の清掃機によれば、吸引装置等、特別な駆動装置を用いる事なく、清掃ベルト１に移着した塵や埃を取り除く事が出来る。
【００６３】
また、清掃ベルト１に移着した塵や埃が効率良く取り除かれれば、清掃ベルト１が常に良好な状態を保つ事が出来るため、清掃ベルト１を清掃対象面６０に押圧させる事によって、清掃対象面６０に付いた塵や埃を効率良く拭き取る事が出来る。
【００６４】
これらの理由により、本発明の清掃機によれば、良好な拭き取り能力を有し、軽量小型で低コストで操作性の良好な清掃機を提供する事が可能である。
【００６５】
また、上記（２）で記載される本発明の清掃機によれば、メッシュローラー２は、容器５０に溜められた液体５１に浸っているため、液体５１が清掃ベルト１の洗浄液として働き、清掃ベルト１に移着した塵や埃をさらに効率良く取り除く事が出来る。また、清掃ベルト１も容器の液体に漬かって湿るため、さらに効率良く清掃対象面６０の塵や埃を拭き取る事が出来る。また、清掃ベルト１の緊張力は、テンショナー５に備わる付勢力によって調整されるため、清掃ベルト１の湿り具合をも調整出来るため、清掃対象面６０の状況に応じて、または、清掃目的に応じて、清掃ベルト１の湿り具合を最適になるように設定する事が出来る。
【００６６】
上記では、メッシュローラー２は、メッシュローラー２の円筒状の表面が、多数の径小な孔が設けられている構成としたが、多数の径小な孔の代わりに、多数の隙間を有するメッシュ素材としても良い。
【００６７】
また、上記では、大ローラー１１は、図３と図４に於いて、右回り（矢印Ｃの方向）、にのみ回転可能とする構成としたが、これとは逆に、左回り（矢印Ｃと反対の方向）にのみ回転可能としても良い、すなわち、本発明の清掃機を、清掃対象面６０に押圧させながら前方（矢印Ｄの方向）に移動させると、大ローラー１１は回転し、清掃ベルト１も連動して動き、本発明の清掃機を後方（矢印Ｄと反対の方向）に移動させると、大ローラー１１は回転せず、清掃ベルト１も連動して不動なように構成としても良い。
【００６８】
また、上記では、塵や埃は、微細粒子の塵や埃としたが、他にも拭き取られるべき液体状の不純物としても良い。
【符号の説明】
【００６９】
１…清掃ベルト、２…メッシュローラー、３…メッシュローラー軸、４…メッシュローラー内部空間、５…テンショナー、６…テンショナー軸、１０…ローラー、１１…大ローラー、１２…保持筒、１３…フランジ、１４…大ローラー軸、１５…ナット、１６…小ロ―ラー、１７…小ローラー軸、２０…ワンウェイクラッチ、２１…クラッチ、２２…外輪、２３…内輪、３０…カバー、３１…前天板、３２…後天板、３３…開口部、３４…後板、３５…側板、３６…ネジ穴、３７…フランジ、３８…補強板、４０…補助輪、４１…車輪、４２…車輪軸、４３…車輪軸受、４４…ハンドル、４５…グリップ、４６…ボルト、５０…容器、５１…液体、６０…清掃対象面
【図１】
2019037453.tif 000003
【図２】
2019037453.tif 000004
【図３】
2019037453.tif 000005
【図４】
2019037453.tif 000006
【図５】
2019037453.tif 000007